(57)【要約】【課題】より快適な３Ｄ映像の視聴が可能となる２Ｄ／３Ｄ切り替え機能を備える画像表示装置を提供することである。【解決手段】画像表示装置１０を、映像コンテンツを２次元表示または３次元表示で表示するディスプレイと、ディスプレイ及び視聴者間の距離を測定する距離測定部１１，２１と、算出部１２と、表示制御部１６とを備える構成とする。算出部１２は、映像コンテンツの３次元表示に適した視聴距離に関する情報及びディスプレイのサイズ情報を取得し、該取得したこれらの情報に基づいて映像コンテンツの３次元表示に適した視聴範囲を算出する。そして、表示制御部１６は、距離測定部１１，２１で測定されたディスプレイ及び視聴者間の距離、並びに、算出部１２で算出された映像コンテンツの３次元表示に適した視聴範囲に基づいて、映像コンテンツの表示を２次元表示または３次元表示に設定する。【選択図】図２
2012028928.tif 000002
【特許請求の範囲】
【請求項１】
映像コンテンツを２次元映像または３次元映像で表示するディスプレイと、
前記ディスプレイ及び視聴者間の距離を測定する距離測定部と、
前記映像コンテンツの３次元表示に適した視聴距離に関する情報及び前記ディスプレイのサイズ情報を取得し、該取得したこれらの情報に基づいて前記映像コンテンツの３次元表示に適した視聴範囲を算出する算出部と、
前記ディスプレイ及び視聴者間の距離、並びに、前記映像コンテンツの３次元表示に適した視聴範囲に基づいて、前記映像コンテンツの表示を２次元表示または３次元表示に設定する表示制御部と
を備える画像表示装置。
【請求項２】
前記距離測定部が、
前記ディスプレイの側に設けられ、所定の無線信号を送信する第１通信部と、
前記視聴者の側に配置され、前記所定の無線信号を受信し、該受信した前記所定の無線信号に対する応答信号を前記第１通信部に送信する第２通信部とを有する
請求項１に記載の画像表示装置。
【請求項３】
さらに、前記第２通信部を含むアクティブシャッター方式の視聴用眼鏡を備える
請求項２に記載の画像表示装置。
【請求項４】
前記映像コンテンツの３次元表示に適した視聴距離に関する情報が、所定のディスプレイサイズで規格化された情報であり、
前記算出部が、前記規格化された情報と、前記ディスプレイのサイズ情報とに基づいて、前記映像コンテンツの３次元表示に適した視聴範囲を算出する
請求項１に記載の画像表示装置。
【請求項５】
前記映像コンテンツの３次元表示に適した視聴距離に関する情報が、前記映像コンテンツの表示を２次元表示から３次元表示に切り替える場合と、３次元表示から２次元表示に切り替える場合とで異なる
請求項１に記載の画像表示装置。
【請求項６】
映像コンテンツを２次元映像または３次元映像で表示するディスプレイと、前記ディスプレイ及び視聴者間の距離を測定する距離測定部と、前記映像コンテンツの３次元表示に適した視聴距離に関する情報及び前記ディスプレイのサイズ情報を取得し、該取得したこれらの情報に基づいて前記映像コンテンツの３次元表示に適した視聴範囲を算出する算出部と、前記ディスプレイ及び視聴者間の距離、並びに、前記映像コンテンツの３次元表示に適した視聴範囲に基づいて、前記映像コンテンツの表示を２次元表示または３次元表示に設定する表示制御部とを有する画像表示装置と、
前記画像表示装置に、前記映像コンテンツを供給するコンテンツ供給源と
を備える画像表示システム。
【請求項７】
映像コンテンツの情報が記録された映像信号データ部と、
前記映像コンテンツの３次元表示に適した視聴距離に関する情報が記録されたメタデータ部と
を備える記録媒体。
【請求項８】
映像コンテンツを２次元画像または３次元画像で表示するディスプレイと、距離測定部と、該映像コンテンツの３次元表示に適した視聴範囲を算出する算出部と、該映像コンテンツの表示を制御する表示制御部とを備える画像表示装置の該距離測定部が、該ディスプレイ及び視聴者間の距離を測定するステップと、
前記算出部が、前記映像コンテンツの３次元表示に適した視聴距離に関する情報及び前記ディスプレイのサイズ情報を取得し、且つ、該取得したこれらの情報に基づいて前記映像コンテンツの３次元表示に適した視聴範囲を算出するステップと、
前記表示制御部が、前記ディスプレイ及び視聴者間の距離、並びに、前記映像コンテンツの３次元表示に適した視聴範囲に基づいて、前記映像コンテンツの表示を２次元表示または３次元表示に設定するステップと
を含む画像表示方法。
【発明の詳細な説明】
【技術分野】
【０００１】
本発明は画像表示装置、画像表示システム、記録媒体及び画像表示方法に関し、より詳細には、２次元映像及び３次元映像が表示可能な画像表示装置、画像表示システム、記録媒体及び画像表示方法に関する。
【背景技術】
【０００２】
近年、２次元（以下、２Ｄ（dimension）と記す）映像に加え、３次元（以下、３Ｄと記す）映像が表示可能な例えばテレビ等の画像表示装置の開発が活発に行われている。このような画像表示装置では、３Ｄ映像表示時に、視聴者の左目に映す画像（左目用画像）と、右目に映す画像（右目用画像）との間に人工的に視差を作り出すことにより、視聴者に映像の奥行き感や立体感を感じさせている。
【０００３】
また、３Ｄ映像は、例えば、右目用及び左目用の２つのレンズを利用し、２つのレンズに対して互いに異なる角度で被写体を撮影する、あるいは、１枚の画像に対して左目用の視差及び右目用の視差を与えるなどの画像処理を施すことにより作成される。ただし、このような３Ｄ映像は、通常、視聴者の視点が常にディスプレイの中央にあり、且つ、視聴者とディスプレイとの距離が一定であるという前提に基づいて作成される。そのため、作成された３Ｄ映像は、視聴者とディスプレイとの距離に対して変化せず同一となる。
【０００４】
それゆえ、視聴者がディスプレイから最適な距離に存在するときは、最適な３Ｄ映像を鑑賞することができるが、視聴者が最適な位置に存在しない場合には、最適な３Ｄ映像を鑑賞することができない。また、３Ｄ映像視聴時に、例えば、視聴者が最適な位置より極端に近い位置に存在する場合には、視聴者の目が疲労するといった問題が生じる。逆に、３Ｄ映像視聴時に視聴者が最適な位置より遠い位置に存在する場合には、３Ｄ表示が立体的でなくなり、２Ｄ表示の方が好適に視聴できるという問題が生じる。
【０００５】
そこで、従来、上述のような問題を解消するため、様々の技術が提案されている（例えば、特許文献１及び２参照）。特許文献１には、視聴者とディスプレイとの距離を距離検出手段で検出し、その検出結果に基づいて、２Ｄ／３Ｄ表示の切り替えを行う技術が提案されている。また、特許文献２には、視聴者及びディスプレイ間の相対距離を計測し、その計測結果に基づいて左右の視差を変更することにより、最適な３Ｄ映像を視聴者に提供する技術が提案されている。
【先行技術文献】
【特許文献】
【０００６】
【特許文献１】特開２００４−２９４８６１号公報
【特許文献２】特開平０１−９６６９２号公報
【発明の概要】
【発明が解決しようとする課題】
【０００７】
上述のように、従来の２Ｄ／３Ｄ表示の切り替えを行う手法では、視聴者とディスプレイと間の距離を測定し、その測定結果のみに基づいて２Ｄ／３Ｄ表示を切り替える。しかしながら、３Ｄ映像の最適な視聴距離を決定するパラメータは、視聴者及びディスプレイ間の距離だけに限られない。それゆえ、最適な３Ｄ映像の視聴という観点では、上述した従来の手法で十分であるとは言い切れず、さらに好適な２Ｄ／３Ｄ表示の切り替え手法が望まれている。
【０００８】
本発明は、上記状況を鑑みなされたものであり、本発明の目的は、より快適な３Ｄ映像の視聴が可能となる２Ｄ／３Ｄ切り替え機能を備える画像表示装置、画像表示システム、記録媒体及び画像表示方法を提供することである。
【課題を解決するための手段】
【０００９】
上記課題を解決するために、本発明の画像表示装置は、ディスプレイと、距離測定部と、算出部と、表示制御部とを備える構成とし、各部の機能は次のようにする。ディスプレイは、映像コンテンツを２次元映像または３次元映像で表示する。距離測定部は、ディスプレイ及び視聴者間の距離を測定する。算出部は、映像コンテンツの３次元表示に適した視聴距離に関する情報及びディスプレイのサイズ情報を取得し、該取得したこれらの情報に基づいて映像コンテンツの３次元表示に適した視聴範囲を算出する。そして、表示制御部は、ディスプレイ及び視聴者間の距離、並びに、映像コンテンツの３次元表示に適した視聴範囲に基づいて、映像コンテンツの表示を２次元表示または３次元表示に設定する。
【００１０】
また、本発明の画像表示システムは、上記本発明の画像表示装置と、画像表示装置に、映像コンテンツを供給するコンテンツ供給源とを備える構成とする。
【００１１】
また、本発明の記録媒体は、映像コンテンツの情報が記録された映像信号データ部と、映像コンテンツの３次元表示に適した視聴距離に関する情報が記録されたメタデータ部とを備える構成とする。
【００１２】
さらに、本発明の画像表示方法は、上記本発明の画像表示装置における映像コンテンツの表示方法であり、次の手順で行う。まず、距離測定部が、ディスプレイ及び視聴者間の距離を測定する。次いで、算出部が、映像コンテンツの３次元表示に適した視聴距離に関する情報及びディスプレイのサイズ情報を取得し、且つ、該取得したこれらの情報に基づいて映像コンテンツの３次元表示に適した視聴範囲を算出する。そして、表示制御部が、ディスプレイ及び視聴者間の距離、並びに、映像コンテンツの３次元表示に適した視聴範囲に基づいて、映像コンテンツの表示を２次元表示または３次元表示に設定する。
【発明の効果】
【００１３】
本発明では、ディスプレイ及び視聴者間の距離の測定結果だけでなく、映像コンテンツの３次元表示に適した視聴距離に関する情報及びディスプレイのサイズ情報に基づいて、映像コンテンツの表示形態を２Ｄ表示または３Ｄ表示に切り替える。それゆえ、本発明によれば、より快適な３Ｄ映像の視聴が可能となる。
【図面の簡単な説明】
【００１４】
【図１】本発明の一実施形態に係る画像表示装置の外観構成図である。
【図２】本発明の一実施形態に係る画像表示装置の内部のブロック構成図である。
【図３】メタデータの構成例を示す図である。
【図４】２Ｄ／３Ｄ表示の切り替え手法のフローチャートである。
【図５】本発明の一実施形態に係る画像表示装置の動作例を示す図である。
【図６】本発明の一実施形態に係る画像表示装置の動作例を示す図である。
【発明を実施するための形態】
【００１５】
以下に、本発明の実施形態に係る画像表示装置及び２Ｄ／３Ｄ表示の切り替え手法の一例を、図面を参照しながら下記の順で説明する。なお、本発明は下記の実施形態に限定されない。
１．画像表示装置及び画像表示システムの構成例
２．２Ｄ／３Ｄ表示の切り替え手法
【００１６】
＜１．画像表示装置及び画像表示システムの構成例＞
［２Ｄ／３Ｄ表示の切り替え原理］
まず、本発明の一実施形態に係る画像表示装置及び画像表示システムの構成を説明する前に、本実施形態における２Ｄ／３Ｄ表示の切り替え手法の原理を簡単に説明する。
【００１７】
上述のように、従来の画像表示装置では、視聴者とディスプレイとの間の距離を測定し、その測定結果のみに基づいて、２Ｄ／３Ｄ表示の切り替えを行う。しかしながら、３Ｄ映像の最適な視聴距離は、視聴者及びディスプレイ間の距離だけでなく、例えば、ディスプレイのサイズや、映像コンテンツの内容（例えば、映画やスポーツ等の種類）等の条件によっても変化すると考えられる。
【００１８】
そこで、本実施形態では、視聴者の現在位置（視聴者及びディスプレイ間の現在の距離）の情報だけでなく、ディスプレイのサイズ情報、及び、映像コンテンツ毎に設定される３Ｄ表示に適した視聴距離に関する情報を用いて２Ｄ／３Ｄ表示の切り替えを行う。
【００１９】
［画像表示装置及び画像表示システムの構成］
上述した２Ｄ／３Ｄ表示の切り替え手法を可能とする本実施形態の画像表示装置及び画像表示システムの構成を、図１及び２を参照しながら説明する。なお、図１は、本実施形態の画像表示装置１０の外観斜視図であり、図２は、本実施形態の画像表示装置１０の内部構成及び画像表示システムの概略構成を示す図である。ただし、図２には、２Ｄ／３Ｄ表示の切り替え時に主に動作する要部のみを示す。また、本実施形態では、画像表示装置して、アクティブシャッター方式で３Ｄ表示を行う画像表示装置を例に挙げ説明する。
【００２０】
画像表示装置１０は、画像表示装置本体１と、３Ｄ眼鏡２（視聴用眼鏡）とで構成される。また、画像表示システム１００は、図２に示すように、画像表示装置１０と、コンテンツ供給源３とで構成される。なお、コンテンツ供給源３は、例えば、ＤＶＤ（Digital Versatile Disc）等の記録媒体や、インターネット等を介して映像コンテンツを配信する配信元等で構成され、所定の映像コンテンツのデータを画像表示装置１０に供給する。
【００２１】
画像表示装置本体１は、コンテンツ供給源３から取得した所定の映像コンテンツをディスプレイ１ａに表示する。画像表示装置本体１は、送受信部１１（距離測定部）と、処理部１２（算出部）と、記憶部１３と、映像読み込み部１４と、表示部１５と、制御部１６（表示制御部）とを備える。
【００２２】
送受信部１１（第１通信部）は、無線通信により、３Ｄ眼鏡２との間で所定信号を送受信する。例えば、画像表示装置本体１及び３Ｄ眼鏡２（視聴者）間の距離を測定する際には、送受信部１１は、所定の無線信号を３Ｄ眼鏡２に送信するとともに、３Ｄ眼鏡２からの応答信号を受信する。そして、送受信部１１は、受信した応答信号を処理部１２に出力する。なお、送受信部１１から送信される距離測定用の無線信号としては、任意の信号を用いることができ、例えば、パルス波の変調信号を用いることができる。
【００２３】
処理部１２は、送受信部１１から入力された応答信号に基づいて画像表示装置本体１及び３Ｄ眼鏡２間の現在の距離を算出する。具体的には、送受信部１１から３Ｄ眼鏡２に無線信号を送信してから応答信号を受信するまでの時間、すなわち、応答速度を算出し、その算出結果に基づいて、画像表示装置本体１及び３Ｄ眼鏡２間の距離を算出する。
【００２４】
また、処理部１２は、記憶部１３に予め記憶されたディスプレイ１ａのサイズ情報を読み出す。さらに、処理部１２は、映像読み込み部１４に読み込んだ映像コンテンツのデータに含まれるメタデータを、記憶部１３を介して読み込む。なお、本実施形態では、後述するように、このメタデータには、読み込まれた映像コンテンツを３Ｄ映像で視聴する際の画像表示装置本体１及び３Ｄ眼鏡２間の好適な視聴距離に関する情報が含まれる。
【００２５】
そして、処理部１２は、取得したメタデータに基づいて、映像読み込み部１４に読み込まれた映像コンテンツを３Ｄ表示する際の好適な視聴範囲を求める。次いで、処理部１２は、算出した画像表示装置本体１及び３Ｄ眼鏡２間の距離、取得したディスプレイ１ａのサイズ情報、及び、映像コンテンツを３Ｄ表示する際の好適な視聴範囲の情報を制御部１６に出力する。
【００２６】
なお、この例では、上述のような機能を有する処理部１２を画像表示装置本体１に設ける例を説明したが、本発明はこれに限定されず、３Ｄ眼鏡２内に設けてもよい。また、本実施形態では、処理部１２と制御部１６とを別個に設ける例を示すが、本発明はこれに限定されず、処理部１２と制御部１６とが一体的に構成されていてもよい。
【００２７】
記憶部１３は、ディスプレイ１ａにコンテンツを表示する際に必要な各種データを記憶する。例えば、上述したディスプレイ１ａのサイズ情報は記憶部１３に記憶される。また、記憶部１３は、読み込んだ映像コンテンツのメタデータを一時的に記憶する。
【００２８】
映像読み込み部１４は、外部のコンテンツ供給源３から所定の映像コンテンツのデータを読み込む。なお、コンテンツ供給源３が、例えばＤＶＤ等の記録媒体である場合には、映像読み込み部１４は、記録媒体の駆動ドライブで構成される。また、コンテンツ供給源３が、例えば、インターネット等を介して映像コンテンツを配信する配信元等である場合には、映像読み込み部１４は、画像表示装置１０を例えば所定のネットワークに接続する際に必要な通信デバイス等で構成される。
【００２９】
表示部１５は、例えば、ディスプレイ１ａや、入力映像に対して所定の画像処理を施す処理回路などで構成される。そして、表示部１５は、映像読み込み部１４を介して取得した所定の映像コンテンツに対して所定の画像処理を施して表示する。また、表示部１５は、アクティブシャッター方式用の３Ｄ映像が入力された際には、ディスプレイ１ａに、左眼用画像及び右眼用画像を所定の切り替え周期で交互に表示する。
【００３０】
制御部１６は、画像表示装置本体１を構成する各部の動作を制御する。例えば、制御部１６は、処理部１２から入力された画像表示装置本体１及び３Ｄ眼鏡２間の距離情報、ディスプレイ１ａのサイズ情報及び映像コンテンツを３Ｄ表示する際の好適な視聴範囲の情報に基づいて、２Ｄ／３Ｄ表示のいずれを選択するかを判別する。なお、この判別処理では、画像表示装置本体１及び３Ｄ眼鏡２間の距離が３Ｄ映像の視聴に適した範囲にあるか否かを判別する。
【００３１】
そして、画像表示装置本体１及び３Ｄ眼鏡２間の距離が３Ｄ映像の視聴に適した範囲にある場合には、制御部１６は、表示部１５を制御してディスプレイ１ａを３Ｄ表示に設定する。また、この際、制御部１６は、３Ｄ表示を選択する旨の信号（選択信号）及び３Ｄ表示時の同期信号を、送受信部１１を介して３Ｄ眼鏡２に送信する。
【００３２】
一方、画像表示装置本体１及び３Ｄ眼鏡２間の距離が３Ｄ映像の視聴に適した範囲にない場合には、制御部１６は、表示部１５を制御してディスプレイ１ａを２Ｄ表示に設定する。また、この際、制御部１６は、２Ｄ表示を選択する旨の信号（選択信号）を、送受信部１１を介して３Ｄ眼鏡２に送信する。
【００３３】
３Ｄ眼鏡２は、アクティブシャッター方式の３Ｄ映像を視聴する際、ディスプレイ１ａにおける左眼用画像及び右眼用画像の切り替え周期に同期して、左目用レンズ及び右目用レンズを交互に開閉するシャッター機能（不図示）を備える。なお、２Ｄ映像の視聴時には、シャッター機能はオフ状態となり、左目用レンズ及び右目用レンズは両方とも開いた状態になる。このシャッター機能のＯＮ／ＯＦＦ制御は、画像表示装置本体１の制御部１６から送信される表示形態の選択信号により行われる。
【００３４】
また、３Ｄ眼鏡２は、送受信部２１（距離測定部）を備える。送受信部２１（第２通信部）は、画像表示装置本体１の送受信部１１を介して制御部１６から送信される、シャッター機能をＯＮ／ＯＦＦ制御するための選択信号（３Ｄ表示または２Ｄ表示の選択信号）を受信する。また、送受信部２１は、３Ｄ映像に視聴時に、画像表示装置本体１の送受信部１１を介して制御部１６から送信される、ディスプレイ１ａの画像の切り替え周期と３Ｄ眼鏡２のシャッター機能の開閉周期とを同期させるための同期信号を受信する。
【００３５】
さらに、送受信部２１は、画像表示装置本体１から送信される距離測定用の無線信号を受信する。そして、送受信部２１は、距離測定用の無線信号を受信した際、それに対する応答信号を画像表示装置本体１に送信する。
【００３６】
［映像コンテンツのデータ構成］
次に、コンテンツ供給源３から画像表示装置本体１に供給する映像コンテンツのデータ構成を、図３（ａ）及び（ｂ）を参照しながら説明する。なお、図３（ａ）は、映像コンテンツの一つのデータ構成例であり、図３（ｂ）は、映像コンテンツの別のデータ構成例である。
【００３７】
映像コンテンツ３０のデータは、映像信号データ部３１と、メタデータ部３２とを有する。映像信号データ部３１には、映像コンテンツのデータが記録される。
【００３８】
一方、メタデータ部３２には、映像コンテンツ３０に関する情報、例えば、作成日時、作成者、タイトル、データ形式等の情報が記録される。さらに、本実施形態では、メタデータ部３２に、映像コンテンツ３０を３Ｄ映像で視聴する際の画像表示装置本体１及び３Ｄ眼鏡２間の好適な視聴距離に関する情報を記録する。
【００３９】
具体的には、本実施形態では、３Ｄ映像を視聴する際の好適な視聴範囲の始点距離データ及び終点距離データを、視聴距離に関する情報としてメタデータ部３２に記録する。なお、この３Ｄ映像を視聴する際の好適な視聴範囲は、表示ディスプレイのサイズにより変化するので、表示ディスプレイの複数のサイズに対してそれぞれ好適な視聴範囲が設定される。すなわち、本実施形態では、表示ディスプレイの複数のサイズに対してそれぞれ設定された複数の３Ｄ映像の好適な視聴範囲に関する情報をメタデータ部３２に記録する。
【００４０】
ただし、３Ｄ映像の好適な視聴範囲に関する情報形態は上記例に限定されない。例えば、１インチ当たりのディスプレイサイズ等に換算（規格化）した３Ｄ映像の視聴範囲のデータを、３Ｄ映像の好適な視聴距離に関する情報として用いてもよい。この場合、あらゆるディスプレイサイズに対応可能となるとともに、メタデータ部３２に含まれる３Ｄ映像の好適な視聴距離に関する情報の情報量を低減することができる。
【００４１】
また、メタデータ部３２は、図３（ａ）に示すように、映像コンテンツ３０の先頭にまとめて配置してもよいし、図３（ｂ）に示すように、映像コンテンツ３０の途中に適宜、メタデータ部３２を挿入するようにしてもよい。後者の場合、例えば、シーン毎にメタデータ部３２を挿入してもよい。この場合、該シーンの映像信号データ部３１の前に、該シーンに対応するメタデータ部３２を挿入する。
【００４２】
＜２．２Ｄ／３Ｄ表示の切り替え手法＞
次に、本実施形態の画像表示装置１０における２Ｄ／３Ｄ表示の切り替え手法を、図４、図５（ａ）及び（ｂ）、並びに、図６（ａ）及び（ｂ）を参照しながら説明する。
【００４３】
なお、図４は、本実施形態における２Ｄ／３Ｄ表示の切り替え手法の手順を示すフローチャートである。また、図５（ａ）は、３Ｄ眼鏡２を装着した視聴者２００が３Ｄ映像の好適な視聴範囲内に存在する場合の様子を示す図であり、図５（ｂ）は、その場合におけるディスプレイ１ａの表示状態を示す図である。さらに、図６（ａ）は、３Ｄ眼鏡２を装着した視聴者２００が３Ｄ映像の好適な視聴範囲内に存在しない場合の様子を示す図であり、図６（ｂ）は、その場合におけるディスプレイ１ａの表示状態を示す図である。
【００４４】
本実施形態では、まず、画像表示装置１０の処理部１２は、画像表示装置本体１及び３Ｄ眼鏡２間の無線通信により得られる無線信号の応答速度に基づいて、視聴者２００の位置（画像表示装置本体１及び３Ｄ眼鏡２間の距離）を算出する（ステップＳ１）。
【００４５】
次いで、処理部１２は、記憶部１３に記憶されたディスプレイ１ａのサイズ情報、及び、映像読み込み部１４に読み込まれた映像コンテンツのメタデータに含まれる３Ｄ映像の好適な視聴距離に関する情報を取得する。そして、処理部１２は、取得したこれらの情報から、映像読み込み部１４に読み込まれた映像コンテンツを３Ｄ表示する際の好適な視聴範囲（以下、３Ｄ表示領域という）を求める（ステップＳ２）。
【００４６】
なお、ステップＳ２において、メタデータに、複数のディスプレイサイズに対してそれぞれ設定された複数の３Ｄ映像の好適な視聴範囲の情報が記録されている場合、処理部１２は、次のようにして、好適な３Ｄ表示領域（始点距離Ｌｓ及び終点距離Ｌｅ）を求める。まず、処理部１２は、メタデータに含まれる複数の３Ｄ映像の好適な視聴範囲の情報と、ディスプレイ１ａのサイズ情報とを読み出す。次いで、処理部１２は、取得したこれらの情報を比較し、ディスプレイ１ａのサイズに対応する３Ｄ映像の好適な視聴範囲の情報を特定する。
【００４７】
一方、メタデータに、例えば、１インチ当たりのサイズに換算された３Ｄ映像の好適な視聴範囲の情報が記憶されている場合には、処理部１２は、ステップＳ２において、例えば、次のようにしてディスプレイ１ａのサイズに対応する３Ｄ表示領域を算出する。ただし、ここでは、映像コンテンツのメタデータに含まれる１インチ当たりのサイズに換算された３Ｄ表示領域の始点距離及び終点距離が、それぞれ５ｃｍ及び３０ｃｍである例を説明する。
【００４８】
例えば、ディスプレイ１ａのサイズが２０インチ（サイズ情報）である場合（具体例１）、３Ｄ表示領域の始点距離Ｌｓは、５ｃｍ×２０インチ＝１００ｃｍとなり、３Ｄ表示領域の終点距離Ｌｅは、３０ｃｍ×２０インチ＝６００ｃｍとなる。すなわち、具体例１の場合には、３Ｄ表示領域は、ディスプレイ１ａからの距離が１〜６ｍとなる範囲となる。
【００４９】
また、例えば、ディスプレイ１ａのサイズが４０インチである場合（具体例２）には、３Ｄ表示領域の始点距離Ｌｓは、５ｃｍ×４０インチ＝２００ｃｍとなり、３Ｄ表示領域の終点距離Ｌｅは、３０ｃｍ×４０インチ＝１２００ｃｍとなる。すなわち、具体例２の場合には、３Ｄ表示領域は、ディスプレイ１ａからの距離が２〜１２ｍとなる範囲となる。
【００５０】
上述のように、ステップＳ２において算出される３Ｄ表示領域は、１インチ当たりのサイズに換算された３Ｄ表示領域の始点距離及び終点距離が一定の場合には、ディスプレイ１ａのサイズにより変化する。なお、ここでは、ディスプレイサイズの基準を１インチとしたが、本発明はこれに限定されず、ディスプレイサイズの基準は任意のサイズに設定することができる。
【００５１】
次いで、制御部１６は、ステップＳ１で測定した視聴者２００の現在位置と、ステップＳ２で算出した３Ｄ表示領域とを比較し、３Ｄ表示を行うか否かを判定する（ステップＳ３）。
【００５２】
ステップＳ３において、図５（ａ）に示すように、視聴者２００が３Ｄ表示領域内に存在する場合、すなわち、視聴者２００がディスプレイ１ａから始点距離Ｌｓと終点距離Ｌｅとの間に位置する場合、ステップＳ３はＹＥＳ判定となる。より具体的には、例えば、上記具体例１（３Ｄ表示領域＝１〜６ｍ）において、視聴者２００がディスプレイ１ａから２ｍの距離に存在する場合には、ステップＳ３はＹＥＳ判定となる。
【００５３】
この場合、制御部１６は、表示部１５及び３Ｄ眼鏡２を制御して、映像コンテンツを３Ｄ表示する（ステップＳ４：図５（ｂ）の状態）。
【００５４】
一方、ステップＳ３において、図６（ａ）に示すように、視聴者２００が３Ｄ表示領域に存在しない場合、すなわち、視聴者２００がディスプレイ１ａから始点距離Ｌｓと終点距離Ｌｅとの間に位置しない場合、ステップＳ３はＮＯ判定となる。より具体的には、例えば、上述した具体例２（３Ｄ表示領域＝２〜１２ｍ）において、視聴者２００がディスプレイ１ａから例えば１ｍや１３ｍ等の距離に存在する場合には、ステップＳ３はＮＯ判定となる。
【００５５】
この場合、制御部１６は、表示部１５及び３Ｄ眼鏡２を制御して、映像コンテンツを２Ｄ表示する（ステップＳ５：図６（ｂ）の状態）。
【００５６】
本実施形態では、上述のようにして、映像コンテンツ（ディスプレイ１ａ）の表示を２Ｄ表示及び３Ｄ表示間で切り替える。また、本実施形態において、上記２Ｄ／３Ｄ表示の切り替え処理は、映像コンテンツの再生前及び／または再生後に行う。なお、上記２Ｄ／３Ｄ表示の切り替え処理を再生後に実施する場合には、所定間隔（例えば１秒間隔）毎に行う。
【００５７】
ただし、上記２Ｄ／３Ｄ表示の切り替え処理を実行するタイミングはこの例に限定されない。例えば、上記２Ｄ／３Ｄ表示の切り替え処理を視聴者２００の所定操作（マニュアル操作）により適宜実行するようにしてもよい。また、画像表示装置１０にさらに人感センサを設け、その人感センサで視聴者の移動の有無を検出し、視聴者が移動した時に、上述した２Ｄ／３Ｄ表示の切り替え処理を実行してもよい。
【００５８】
上述のように、本実施形態では、視聴者２００の現在位置の情報だけでなく、ディスプレイ１ａのサイズ情報及び映像コンテンツのメタデータに含まれた３Ｄ映像の好適な視聴距離に関する情報を用いて、２Ｄ／３Ｄ表示を切り替える。それゆえ、本実施形態では、ディスプレイ１ａのサイズや、映像コンテンツの種類（内容）等に関係なく、２Ｄ／３Ｄ表示の切り替えをより最適に行うことができ、より快適な３Ｄ映像の視聴が可能となる。
【００５９】
特に、本実施形態の２Ｄ／３Ｄ切り替え手法は、視聴者の視聴距離が極端に短くなった場合（目の負担がより大きくなる場合）や、遠くなった場合（３Ｄ表示が立体的に見えなくなるような場合）に好適である。このような場合であっても、本実施形態によれば、視聴者の目の負担の軽減や最適な視聴形態の提供が可能になり、映像コンテンツの視聴の快適性をより向上させることができる。
【００６０】
＜３．各種変形例＞
以下、上記実施形態の各種変形例を説明する。
【００６１】
（１）変形例１
上記実施形態では、画像表示装置本体１と３Ｄ眼鏡２との間で双方向に無線通信を行い、両者間の距離を測定する例を説明したが、本発明はこれに限定されない。例えば、３Ｄ眼鏡２に例えば無線タグ等を装着し、測定距離用の無線信号を３Ｄ眼鏡２から画像表示装置本体１に一方向に送信する構成にしてもよい。
【００６２】
また、画像表示装置本体１及び３Ｄ眼鏡２間の距離の測定手法は、無線通信に限定されず、例えば、赤外線、磁気、超音波、静電気、音等を利用した距離センサを用いて、画像表示装置本体１及び３Ｄ眼鏡２間の距離を測定してもよい。
【００６３】
（２）変形例２
上記実施形態では、視聴者が一人である場合の例を説明したが、本発明はこれに限定されない。複数の視聴者が存在する場合にも、上述した本実施形態の画像表示装置１０及び２Ｄ／３Ｄ切り替え手法は適用可能である。
【００６４】
この場合、複数の視聴者のうち、所定の３Ｄ眼鏡を装着した視聴者に対して、上述した本実施形態の２Ｄ／３Ｄ切り替え手法を適用してもよい。また、視聴者全員の位置を計測し、そのうちディスプレイ１ａに最も近い視聴者の位置に対して、上述した本実施形態の２Ｄ／３Ｄ切り替え手法を適用してもよい。さらに、視聴者全員の位置を計測して複数の視聴者の平均位置を算出し、その平均位置に対して、上述した本実施形態の２Ｄ／３Ｄ切り替え手法を適用してもよい。
【００６５】
（３）変形例３
上記実施形態では、２Ｄ表示から３Ｄ表示への切り替え時、及び、３Ｄ表示から２Ｄ表示への切り替え時のいずれにおいても、３Ｄ表示領域のデータ（始点距離Ｌｓ及び終点距離Ｌｅ）が同じである例を説明したが、本発明はこれに限定されない。例えば、２Ｄ表示から３Ｄ表示への切り替え時（図５（ａ）中の破線矢印に示す視聴者の移動時）に用いる３Ｄ表示領域と、３Ｄ表示から２Ｄ表示への切り替え時（図６（ａ）中の破線矢印に示す視聴者の移動時）に用いる３Ｄ表示領域とを変えてもよい。
【００６６】
例えば、上記具体例１（３Ｄ表示領域：１００ｃｍ〜６００ｍ）の構成において、２Ｄ表示から３Ｄ表示への切り替え時の３Ｄ表示領域を１７５ｃｍ〜５２５ｃｍとし、３Ｄ表示から２Ｄ表示への切り替え時の３Ｄ表示領域を２５ｃｍ〜６７５ｃｍとしてもよい。すなわち、表示の切り替え方向に応じて、３Ｄ表示領域にヒステリシスを持たせてもよい。この場合、３Ｄ表示領域の境界付近で表示形式が頻繁に切り替ることを防止することができる。
【００６７】
（４）変形例４
上記実施形態では、アクティブシャッター方式で３Ｄ映像を表示する画像表示装置１０を例に挙げ説明したが、本発明はこれに限定されず、３Ｄ映像が表示可能な任意の画像表示装置に本発明は適用可能である。
【００６８】
例えば、特殊眼鏡を用いる３Ｄ表示方式として、アクティブシャッター方式以外に偏光方式があるが、この３Ｄ表示方式を用いた画像表示装置にも本発明は適用可能である。ただし、この場合には、アクティブシャッター方式のように画像表示装置と３Ｄ眼鏡との間で無線通信を行う機能を備えないので、図２に示す送受信部１１及び処理部１２、並びに、送受信部２１をそれぞれ画像表示装置本体及び３Ｄ眼鏡に新たに設ける必要がある。
【００６９】
また、本発明は、裸眼タイプの３Ｄ表示可能な画像表示装置にも適用可能である。この場合には、図２に示す送受信部１１及び処理部１２を画像表示装置本体に新たに設けるとともに、図２に示す送受信部２１を含む通信器を別途用意し、その通信機を視聴者が装着するようにすればよい。また、この場合には、例えばリモコン等の操作手段に図２に示す送受信部２１を組み込んでもよい。
【００７０】
上述のように、本発明は、アクティブシャッター方式以外の３Ｄ表示方式を採用した画像表示装置にも適用可能であるが、アクティブシャッター方式以外の３Ｄ表示方式では新たに通信機器を追加する必要がある。それに対して上記実施形態のアクティブシャッター方式の画像表示装置では、従来備わっている通信機器に、さらに、距離測定機能を追加するだけで足りるので、より簡易に上記２Ｄ／３Ｄ切り替え手法を実現することができる。
【符号の説明】
【００７１】
１…画像表示装置本体、１ａ…ディスプレイ、２…３Ｄ眼鏡、３…コンテンツ供給源、１０…画像表示装置、１１，２１…送受信部、１２…処理部、１３…記憶部、１４…映像読取り部、１５…表示部、１６…制御部、３０…映像コンテンツ、３１…映像信号データ部、３２…メタデータ部
【図１】
2012028928.tif 000003
【図２】
2012028928.tif 000004
【図３】
2012028928.tif 000005
【図４】
2012028928.tif 000006
【図５】
2012028928.tif 000007
【図６】
2012028928.tif 000008